(57)【要約】【課題】伸縮性止着シートを有する止着式の吸収性物品において、確実に伸縮性を保持した状態で止着する。【解決手段】腹側部１１及び背側部１２を有する本体部１０を備え、トップシート１０ａ及びバックシート１０ｂを有する吸収性物品において、背側部１２の両側方向に延出して設けられ、伸縮可能な伸縮部２１，２１を有し、両側方向における自由端部２２，２２に第１ファスニング部材２３，２３が固着されている一対の伸縮性シート２０，２０と、背側部１２の両側方向に延出して設けられ、伸縮性シート２０，２０のバックシート１０ｂ側に重ねて設けられており、伸縮部２１，２１による伸長を途中で抑制する一対の伸長抑制シート３０，３０と、腹側部１１のバックシート１０ｂ側の外面に設けられ、第１ファスニング部材２３，２３が着脱自在に止着される第１被止着部４０と、を備えることを特徴とする。【選択図】図２
2015192714.tif 000002
【特許請求の範囲】
【請求項１】
着用時に人体の腹側に位置する腹側部及び背側に位置する背側部を有する本体部を備え、透液性のトップシート及び不透液性のバックシートを有する吸収性物品において、
前記背側部の両側方向に延出して設けられ、伸縮可能な伸縮部を有し、両側方向における自由端部に第１ファスニング部材が固着されている一対の伸縮性シートと、
前記背側部の両側方向に延出して設けられ、前記伸縮性シートの前記バックシート側に重ねて設けられており、前記伸縮部による伸長を途中で抑制する一対の伸長抑制シートと、
前記腹側部の前記バックシート側の外面に設けられ、前記第１ファスニング部材が着脱自在に止着される第１被止着部と、
を備えることを特徴とする吸収性物品。
【請求項２】
請求項１に記載の吸収性物品において、
前記伸長抑制シートの両側方向における自由端部に、前記第１被止着部に着脱自在に止着可能な第２ファスニング部材が固着されていることを特徴とする吸収性物品。
【請求項３】
請求項２に記載の吸収性物品において、
前記伸縮性シートの前記伸長抑制シート側の面に、前記第２ファスニング部材が止着可能な第２被止着部を備え、
前記第２ファスニング部材と前記第２被止着部の止着力が、前記第１ファスニング部材と前記第１被止着部の止着力より小さいことを特徴とする吸収性物品。
【請求項４】
請求項２又は３に記載の吸収性物品において、
前記第２ファスニング部材と前記第１被止着部の止着力が、前記第１ファスニング部材と前記第１被止着部の止着力より小さいことを特徴とする吸収性物品。
【請求項５】
請求項１に記載の吸収性物品において、
前記伸長抑制シートの両側方向における自由端部に、前記伸縮性シートに着脱自在に接着可能なシール部を備え、
前記シール部と前記伸縮性シートの接着力が、前記第１ファスニング部材と前記第１被止着部の止着力より小さいことを特徴とする吸収性物品。
【請求項６】
請求項１〜５の何れか一項に記載の吸収性物品において、
前記伸縮性シートと前記伸長抑制シートを重ねた際に、前記伸長抑制シートの一部が前記伸縮性シートから外部に出ていることを特徴とする吸収性物品。
【請求項７】
請求項１〜６の何れか一項に記載の吸収性物品において、
前記伸長抑制シートには、前記伸縮部よりも伸縮性の低い低伸縮部が設けられていることを特徴とする吸収性物品。
【請求項８】
請求項１〜７の何れか一項に記載の吸収性物品において、
前記伸長抑制シートを伸長させた際の限界長は、前記伸縮性シートを伸長させた際の限界長よりも短いことを特徴とする吸収性物品。
【請求項９】
請求項８に記載の吸収性物品において、
前記伸長抑制シートは、当該伸長抑制シートの一部が延出方向と直交する幅方向に折り曲げられた折曲部を備えることを特徴とする吸収性物品。
【請求項１０】
請求項１〜９の何れか一項に記載の吸収性物品において、
前記伸長抑制シートの基端部に、当該伸長抑制シートの延出方向と直交する幅方向に沿って横断するミシン目が設けられていることを特徴とする吸収性物品。
【発明の詳細な説明】
【技術分野】
【０００１】
本発明は、使い捨て紙おむつ等の吸収性物品に関する。
【背景技術】
【０００２】
従来、人体の腹側に位置する腹側部及び背側に位置する背側部を有する本体部と、本体部の両側から延出する一対の止着テープと、一対の止着テープが着脱自在に止着される被止着部と、が備えられた止着式紙おむつが普及している。
この止着式紙おむつに用いる止着テープとして、着用者へのフィット性の向上を目的とした、伸縮性を有する止着テープ（伸縮性止着テープ）が知られている。
【０００３】
伸縮性止着テープは、着用者の腰回りを適宜の強さで締め付け、着用者の動きに追随して伸縮することにより、体にフィットさせて紙おむつをずれ落ちないようにすることができる。しかしながら、紙おむつの着用者や介護者が伸縮性止着テープを引っ張って止着させる際に、伸縮性止着テープを引っ張りすぎることがあり、強く締め付けすぎて腹周りを圧迫させてしまうことがある。また、強く引っ張った際に伸縮性止着テープを限界近くまで引っ張ってしまうことがあり、この状態で止着すると、伸びる余裕がないので伸縮性を得ることができない。
【０００４】
そこで、これらの課題を解決するために、様々な伸縮性止着テープが提案されている。例えば、伸縮性止着テープの表面に伸縮度合を視認可能な表示物が組み込まれており、テープの伸び具合を外部から視認可能である伸縮性止着テープが提案されている（特許文献１）。
また、他の伸縮性止着テープの例として、伸縮性の繊維シートの間に伸縮性の低い糸状部材を格子状に設けた伸縮性シートを備える伸縮性止着テープが知られている（特許文献２）。この伸縮性止着テープは、引っ張った力がゆっくりと糸状部材に伝わるようになっているため、瞬間的に強く引っ張って止着した場合であっても、完全には伸びきらない状態を維持し、伸縮性に余裕のある状態で止着することができる。
【先行技術文献】
【特許文献】
【０００５】
【特許文献１】特開２００５−１１１１７５号公報
【特許文献２】特開２０１２−０１６４５５号公報
【発明の概要】
【発明が解決しようとする課題】
【０００６】
しかしながら、伸長度合を視認できるようにした場合においては、利用者は常に伸長度合を確認しながら伸長させなければならないため、利用者にとって手間となり、使い勝手が悪くなる。
また、伸縮性止着テープ自体を伸び難くする場合においては、伸び難くするほど着用者の動きに追随し難くなるため、フィット感が落ちるという問題がある。
さらに、上述の方法は、伸縮性止着テープを物理的に伸びきらないようにしているわけではないため、強い力で引っ張った場合に、限界近くまで引っ張られてしまうことを完全に防ぐことはできない。
【０００７】
本発明は、このような問題に鑑みてなされたものであり、本発明の課題は、伸縮性止着シート（伸縮性止着テープ）を有する止着式紙おむつにおいて、例え伸縮性止着シートを強く引っ張った場合であっても、シートの引っ張りすぎを防ぎ、確実に伸縮性止着シートの伸縮性を保持した状態で止着することである。
【課題を解決するための手段】
【０００８】
上記課題を解決するため、請求項１に記載の発明は、
着用時に人体の腹側に位置する腹側部及び背側に位置する背側部を有する本体部を備え、透液性のトップシート及び不透液性のバックシートを有する吸収性物品において、
前記背側部の両側方向に延出して設けられ、伸縮可能な伸縮部を有し、両側方向における自由端部に第１ファスニング部材が固着されている一対の伸縮性シートと、
前記背側部の両側方向に延出して設けられ、前記伸縮性シートの前記バックシート側に重ねて設けられており、前記伸縮部による伸長を途中で抑制する一対の伸長抑制シートと、
前記腹側部の前記バックシート側の外面に設けられ、前記第１ファスニング部材が着脱自在に止着される第１被止着部と、
を備えることを特徴とする。
【０００９】
請求項２に記載の発明は、
請求項１に記載の吸収性物品において、
前記伸長抑制シートの両側方向における自由端部に、前記第１被止着部に着脱自在に止着可能な第２ファスニング部材が固着されていることを特徴とする。
【００１０】
請求項３に記載の発明は、
請求項２に記載の吸収性物品において、
前記伸縮性シートの前記伸長抑制シート側の面に、前記第２ファスニング部材が止着可能な第２被止着部を備え、
前記第２ファスニング部材と前記第２被止着部の止着力が、前記第１ファスニング部材と前記第１被止着部の止着力より小さいことを特徴とする。
【００１１】
請求項４に記載の発明は、
請求項２又は３に記載の吸収性物品において、
前記第２ファスニング部材と前記第１被止着部の止着力が、前記第１ファスニング部材と前記第１被止着部の止着力より小さいことを特徴とする。
【００１２】
請求項５に記載の発明は、
請求項１に記載の吸収性物品において、
前記伸長抑制シートの両側方向における自由端部に、前記伸縮性シートに着脱自在に接着可能なシール部を備え、
前記シール部と前記伸縮性シートの接着力が、前記第１ファスニング部材と前記第１被止着部の止着力より小さいことを特徴とする。
【００１３】
請求項６に記載の発明は、
請求項１〜５の何れか一項に記載の吸収性物品において、
前記伸縮性シートと前記伸長抑制シートを重ねた際に、前記伸長抑制シートの一部が前記伸縮性シートから外部に出ていることを特徴とする。
【００１４】
請求項７に記載の発明は、
請求項１〜６の何れか一項に記載の吸収性物品において、
前記伸長抑制シートには、前記伸縮部よりも伸縮性の低い低伸縮部が設けられていることを特徴とする。
【００１５】
請求項８に記載の発明は、
請求項１〜７の何れか一項に記載の吸収性物品において、
前記伸長抑制シートを伸長させた際の限界長は、前記伸縮性シートを伸長させた際の限界長よりも短いことを特徴とする。
【００１６】
請求項９に記載の発明は、
請求項８に記載の吸収性物品において、
前記伸長抑制シートは、当該伸長抑制シートの一部が延出方向と直交する幅方向に折り曲げられた折曲部を備えることを特徴とする。
【００１７】
請求項１０に記載の発明は、
請求項１〜９の何れか一項に記載の吸収性物品において、
前記伸長抑制シートの基端部に、当該伸長抑制シートの延出方向と直交する幅方向に沿って横断するミシン目が設けられていることを特徴とする。
【発明の効果】
【００１８】
本発明によれば、伸長抑制シートにより、伸縮性シートの伸長が途中で抑制されるので、強い力で引っ張ったとしても伸縮性シートが伸びすぎることはない。そのため、伸縮性シートは、確実に伸縮性を保持した状態で止着することができる。したがって、本発明の吸収性物品は、伸縮性シートの伸縮性の効果を十分発揮できる状態で装着することができ、フィット性の良い吸収性物品であるといえる。また、利用者は、単に伸縮性シートを引っ張って止着するだけで本発明の効果が得られるため、利用者にとって負担にならず、使い勝手の良い吸収性物品である。
【図面の簡単な説明】
【００１９】
【図１】本発明における使い捨て紙おむつの後側の底面展開図である。
【図２】図１における使い捨て紙おむつの前側の平面展開図である。
【図３】図１の使い捨て紙おむつを装着時の状態に組み立てた場合の斜視図である。
【図４】図２におけるIV―IV部の断面図である。
【図５】図１におけるV―V部の断面図であり、（ａ）は止着前、（ｂ）は止着時である。
【図６】変形例１における断面図であり、（ａ）は止着時、（ｂ）は止着後に左方向移動した場合、（ｃ）は止着後に右方向に移動した場合である。
【図７】変形例２における断面図であり、（ａ）は止着時、（ｂ）は止着後に左方向移動した場合、（ｃ）は止着後に右方向に移動した場合である。
【図８】変形例３における断面図であり、（ａ）は止着前、（ｂ）は止着時である。
【図９】変形例４における断面図である。
【図１０】変形例５の底面図における伸長抑制シート付近の拡大模式図であり、（ａ）はミシン目切り取り前、（ｂ）はミシン目切り取り後である。
【発明を実施するための形態】
【００２０】
以下、本発明を実施するための形態を、図面を参照しながら詳細に説明する。但し、発明の範囲は図示例に限られない。なお、本発明を実施するための形態を説明するにあたり、使い捨て紙おむつ１の幅方向を左右方向、幅方向に垂直な方向を上下方向、使い捨て紙おむつ１の面に垂直な方向を前後方向として、図示して説明を行う。
【００２１】
使い捨て紙おむつ１は、図１，図２に示すように、着用時に人体の腹側に位置する腹側部１１及び背側に位置する背側部１２を有する本体部１０を備えており、本体部１０は、背側部１２の両側方向に延出して設けられた一対の伸縮性シート２０，２０と、伸縮性シート２０，２０の後側に重ねて設けられた一対の伸長抑制シート３０，３０と、これらのシートを係止させるために腹側部１１の後側に設けられた第１被止着部４０とを備えて構成されている。
【００２２】
使い捨て紙おむつ１が装着される際には、本体部１０が人体の股部を腹側から背側にかけて覆われ、上述した一対の伸縮性シート２０，２０及び一対の伸長抑制シート３０，３０が第１被止着部４０に止着され、股下に位置する位置に股下部１３が形成されて装着される（図３）。ここで、腹側部１１において両外側に延出した腹側延出部１１１、１１１と、背側部１２において両外側に延出した背側延出部１２１、１２１と、は、紙おむつ１が装着された際に胴周り部１４を形成する。また、背側部１２の胴周り方向に沿った縁部中央には、糸ゴム等の弾性部材１４１が幅方向（左右方向）に沿って設けられているため、この弾性部材１４１により平面ギャザーが形成され、本体部１０は、着用者の胴周りにフィットするように伸縮自在な構成となっている。
また、股下部１３の両側縁部には、腹側部１１から背側部１２に亘って、装着時に身体の脚周りに配置される二つの脚周り部１５，１５を形成されている。脚周り部１５は、その湾曲形状に合わせて糸ゴム等の弾性部材１５１がそれぞれ設けられ、この弾性部材１５１により平面ギャザーが形成され、着用者の脚周りに伸縮自在にフィットし、横漏れを防止するようになっている。
【００２３】
本体部１０は、図４に断面図を示すように、装着時に肌との接触面側（前側）に設けられる透液性のトップシート１０ａと、装着時に肌との接触面と反対側（後側）に設けられるバックシート１０ｂと、トップシート１０ａとバックシート１０ｂとの間に介装される吸収体１０ｃと、トップシート１０ａ側において上下方向に沿って備えられる左右一対のギャザーシート１０ｄ、１０ｄと、により主に構成される。
【００２４】
トップシート１０ａは、透液性のシートであり、使い捨て紙おむつ１を装着した際に肌に接する面に設けられ、体液を受けて、吸収体１０ｃまで輸送する役割を果たしている。
トップシート１０ａの材料としては、ポリエチレン又はポリプロピレン等のオレフィン系、ポリエステル系、ポリアミド系等の合成繊維、レーヨンやキュプラ等の再生繊維、綿等の天然繊維を繊維素材として、スパンレース法、スパンボンド法、サーマルボンド法、メルトブローン法、ニードルパンチ法等の適宜の加工法によって加工したものを用いることが好ましい。
【００２５】
バックシート１０ｂは、使い捨て紙おむつ１を装着した際に肌に接しない側の面に設けられており、防水シート１６と外装シート１７とが貼り合わされることにより形成されている。防水シート１６は、体液などの紙おむつ１外部への染み出しや漏れ出しを防ぐ役割を果たしており、外装シート１７は、紙おむつ１の外面の風合いを良くするための役割を果たしている。
防水シート１６の材料としては、例えば、ポリエチレンやポリプロピレン等の少なくとも遮水性を有するシート材であって、ムレ防止の観点から透湿性を有するシート材が好適に用いられる。
外装シート１７の材料としては、平滑性と柔軟性に優れた素材を用いることが好ましい。例えば、トップシート１０ａと同様に、ポリエチレン又はポリプロピレン等のオレフィン系、ポリエステル系、ポリアミド系等の合成繊維の他、レーヨンやキュプラ等の再生繊維、綿等の天然繊維を使用することができ、スパンレース法、スパンボンド法、サーマルボンド法、メルトブローン法、ニードルパンチ法等の適宜の加工法によって得られた不織布を用いることができるが、特に、ムレを防止するために秤量を抑えて通気性に優れた不織布を用いることが好ましい。さらに、尿などの透過を防止するとともに、カブレを防止し且つ肌への感触性（ドライ感）を高めるために、シリコン系、パラフィン金属系、アルキルクロミッククロイド系撥水材などをコーティングした撥水処理不織布を用いてもよい。
【００２６】
吸収体１０ｃは、トップシート１０ａとバックシート１０ｂとの間に介装され、綿やパルプ等の吸収性素材や、繊維或いはフィルム等のシート状基材と高吸収性ポリマーのような高吸水性樹脂とが組み合わされて形成された吸収体コアＳ１が、透液性のクレープ紙、不織布、孔開きシート等のシート材Ｓ２により覆われて構成されている。
吸収体１０ｃに用いられる高吸水性樹脂としては、カルボキシメチルセルロース、ポリアクリル酸及びその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨欄性ポリマーを部分架橋したもの、或いはイソブチレンとマレイン酸との共重合体等が好適に用いられる。
また、吸収体１０ｃは、単層構造であっても良いし、複数層に分かれた構造でも構わない。また、吸収体１０ｃは、腹側部１１から股下部１３を通り背側部１２に亘る位置に配置されている。
【００２７】
ギャザーシート１０ｄ、１０ｄは、トップシート１０ａ側において、吸収体１０ｃの上下方向に沿った両側部に、腹側部１１から背側部１２に亘ってそれぞれ備えられている。
ギャザーシート１０ｄ、１０ｄの左右方向内側の部分は、図４に示す通り、トップシート１０ａに固定されておらず、その上下方向に沿って複数の弾性部材１８が略平行に備えられており、「く」の字状及び逆「く」の字状に立ち上がって着用者の体型に合わせて伸縮自在に変形可能な立体ギャザーが形成されている。これに対し、ギャザーシート１０ｄ、１０ｄにおける左右方向外側の部分は、吸収体１０ｃの側方でトップシート１０ａの上面に配置されるように固着されている。
また、ギャザーシート１０ｄ、１０ｄの材料としては、例えば、外装シート１７と同様の不織布を用いることができるが、尿などの透過を防止するとともに、カブレを防止し且つ肌への感触性（ドライ感）を高めるために、シリコン系、パラフィン金属系、アルキルクロミッククロイド系撥水材などをコーティングした撥水処理不織布を用いることが好ましい。
【００２８】
上述したように、トップシート１０ａ側の上下方向に沿ってギャザーシート１０ｄ、１０ｄが備えられ、左右方向に対する漏れを防止している。ここで、さらに、図２に示す通り、トップシート１０ａ側の左右方向に沿ってバックギャザーシート１０ｅが備えられ、上下方向に対する漏れについても防止している。
【００２９】
伸縮性シート２０，２０は、それぞれ背側部１２から両側方向に向かって延出しており、基端部が背側延出部１２１，１２１に接合され、自由端部２２，２２が両側方向に凸状に突出した形状となっている。また、伸縮性シート２０，２０は、延出した部分に伸縮可能な伸縮部２１，２１と、自由端部２２，２２に設けられた面ファスナの雄材の係止要素である第１ファスニング部材２３，２３と、を備えており、装着時には、左右方向を伸縮方向として引き伸ばされ、腹側部１１の後側に設けられた第１被止着部４０に止着可能となっている。
【００３０】
伸縮性シート２０，２０のシート基材は、トップシート１０ａと同様の不織布シートを使用して形成することができる。また、ここで使用する不織布シートは、その目付けを着用時に伸縮可能である２０〜５０ｇｓｍの範囲内の値とすることが好ましく、基端部及び自由端部２２，２２においては、耐久性に優れるように６０〜８０ｇｓｍの範囲内の値とすることが好ましい。
伸縮部２１，２１は、二枚の不織布の間に、所定の間隔で上下方向に並列した複数本の弾性伸縮部材を挟んで接着剤によって貼り合わせることにより、左右方向に伸縮自在な構成となっている。
第１ファスニング部材２３，２３は、面ファスナのオス材の係止要素であり、鉤状、きのこ状、錨状等の多数の突起が形成されたフック材が設けられている。そして、第１ファスニング部材２３，２３は、腹側部１１の後側に設けられた第１被止着部４０に、着脱自在に係止することが可能である。
【００３１】
伸長抑制シート３０，３０は、伸縮性シート２０，２０のバックシート１０ｂ側に重ねて設けられており、伸縮性シート２０，２０と同様に、基端部が背側延出部１２１に接合され、自由端部３２，３２が両側方向に凸状に突出した形状となっている。ここで、伸長抑制シート３０，３０は伸縮性シート２０，２０と同一形状となっており、伸縮部２１，２１より伸縮性の低い低伸縮部３１，３１と、自由端部３２，３２に設けられた第２ファスニング部材３３，３３と、を備え、装着時には、左右方向を伸縮方向として引き伸ばされ、腹側部１１の後側に設けられた第１被止着部４０に止着可能となっている。
【００３２】
伸長抑制シート３０，３０のシート基材は、伸縮性シート２０，２０と同様に、トップシート１０ａと同様の不織布シートを使用して形成することができる。
低伸縮部３１，３１は、伸縮部２１，２１よりも伸縮性の低い伸縮性不織布を用いて形成されており、左右方向に伸縮可能な構成となっている。伸縮性不織布のシート材としては、例えば、ポリオレフィン、ポリアミド、ポリウレタン等の熱可塑性エラストマー樹脂にて形成されたスパンボンド不織布やメルトブロー不織布等を用いることができる。
第２ファスニング部材３３，３３は、第１ファスニング部材２３，２３と同様に、面ファスナのオス材の係止要素であり、腹側部１１の後側に設けられた第１被止着部４０に、着脱自在に係止することが可能である。ここで、第２ファスニング部材３３，３３は、第１ファスニング部材２３，２３よりもオス材の量を減らしており、第１被止着部４０への止着力は、第１ファスニング部材２３，２３よりも弱くなっている。
また、図３に示すように、第２ファスニング部材３３，３３も、第１被止着部４０に止着することができるため、第１被止着部４０への止着力を補強することができ、また、伸長抑制シート３０が重力方向に垂れて邪魔になることを防ぐことができる。ここで、上述した通り、第２ファスニング部材３３，３３は雄材の量を減らして止着力を弱くしているため、伸縮性シート２０，２０の伸縮を妨げ難くなっている。
【００３３】
次に、右側の背側延出部１２１，１２１に設けられた伸縮性シート２０，２０及び伸長抑制シート３０，３０が第１被止着部４０へ止着する際の状態について、右側のシートが止着する場合を例として、図５を用いて詳細に説明する。
【００３４】
まず、伸縮性シート２０及び伸長抑制シート３０は、上述した通り、それぞれ基端部が、バックシート１０ｂ及び外装シート１７から構成される背側延出部１２１に接合されており、伸長抑制シート３０は伸縮性シート２０のバックシート１０ｂ側に重ねて固定されている（図５（ａ））。そのため、これらのシートは二枚重ねられた状態で引っ張られ、伸縮性シート２０の自由端部２２に設けられた第１ファスニング部材２３で第１被止着部４０に止着されるようになっている。ここで、伸縮性シート２０より伸長抑制シート３０の方が、伸縮性が低いため、伸長抑制シート３０の伸長力に合わせて引っ張られることになる。したがって、伸縮性シート２０は伸縮力に余裕がある状態で止着することができ（図５（ｂ））、装着後も伸縮性の効果を十分発揮することが可能である。
【００３５】
次いで、本実施形態の変形例について説明する。なお、以下の変形例の説明においては、本実施形態の使い捨て紙おむつ１との相違点を中心に説明し、一致する構成には同一の符号を付与し、説明を省略する。また、以下の各々の伸縮性シート２０，２０及び伸長抑制シート３０，３０の変形例において、一対のシートのうち、右側のシートを代表例として説明する。
【００３６】
＜変形例１＞
変形例１は、図６に示すように、伸長抑制シート３０に設けられた第２ファスニング部材３３を、シール部３４に変更した場合の変形例である。シール部３４は、伸縮性シート２０の後側の表面に弱い力で接着可能な材料によって形成されており、シール部３４と伸縮性シート２０との接着力は、伸縮性シート２０の第１ファスニング部材２３と第１被止着部４０との止着力よりも弱くなっている。
【００３７】
変形例１における伸縮性シート２０及び伸長抑制シート３０は、図６（ａ）に示す通り、シール部３４によって二枚接着された状態で、伸縮性シート２０の第１ファスニング部材２３によって第１被止着部４０に止着される。つまり、本実施形態と同様に、伸縮性シート２０は伸長抑制シート３０と一緒に伸長し、伸縮性に余裕のある状態で止着される。この際、二枚のシートがシール部３４で接着しているため、止着後も伸長抑制シート３０は伸縮性シート２０に接着された状態を保つ。
【００３８】
ここで、装着後に装着者の動きによって左右方向に第１被止着部４０のずれがあった場合における、伸縮性シート２０及び伸長抑制シート３０の状態について説明する。
第１被止着部４０が左方向に動く場合は、図６（ｂ）に示す通り、伸縮性シート２０及び伸長抑制シート３０はそれぞれ縮まる方向に動くため、それぞれ第１被止着部４０に止着されたまま、第１被止着部４０と一緒に左方向に動く。
また、逆に第１被止着部４０が右方向に動く場合は、図６（ｃ）に示す通り、伸縮性シート２０に関しては、伸縮性に余裕があるため、第１被止着部４０に止着されたまま右方向に動く。これに対し、伸長抑制シート３０は、伸縮性に余裕はなく、かつ、シール部３４の接着力は弱いため、右方向に動くことはできない。そのため、伸長抑制シート３０は、伸縮性シート２０から一旦剥がれ、又は、伸縮性シート２０の表面を滑るようにして、図６（ｃ）に示す通り、最終的には伸縮性シート２０のより左方向の位置にシール部３４で再度接着される。
【００３９】
このように、変形例１では、伸縮性シート２０を第１被止着部４０に止着後、伸長抑制シート３０を伸縮性シート２０に接着した状態のままにすることができる。ここで、本実施形態の場合は、伸縮性シート２０を第１被止着部４０に止着させた後、伸長抑制シート３０を第１被止着部４０に止着しなければ、伸長抑制シート３０が重力方向に垂れてしまうことがある。それに対し、変形例１では、シール部３４によって伸長抑制シート３０を伸縮性シート２０に接着させることができるため、重力方向に垂れてしまうこと防ぐことが可能であり、使用者にとって使い勝手が良いといえる。
【００４０】
なお、シール部３４は伸縮性シート２０の後側の表面に着脱可能に接着可能であるとしたが、もちろん、第１被止着部４０にも接着可能であっても良い。この場合は、本実施形態と同様に、伸縮性シート２０及び伸長抑制シート３０の二枚で第１被止着部４０に止着することができる。
なお、変形例１では、シール部３４によって伸縮性シート２０の後側の表面に接着可能な構成としたが、伸長抑制シート３０が弱い力で伸縮性シート２０に接着できるようになっていれば構成は適宜変更可能である。
【００４１】
＜変形例２＞
変形例２は、図７（ａ）に示す通り、伸縮性シート２０の後側の表面に第２被止着部２４を設け、伸長抑制シート３０の第２ファスニング部材３３を止着できるようにしたものである。変形例２の場合も、本実施形態と同様に、伸縮性シート２０は伸長抑制シート３０と一緒に伸長し、伸縮性に余裕のある状態で止着される。
【００４２】
ここで変形例２において、二枚のシートが止着された状態で第１被止着部４０に止着した後に、装着者の動きによって左右方向に第１被止着部４０のずれがあった場合における、伸縮性シート２０及び伸長抑制シート３０の状態について説明する。
第１被止着部４０が左方向に動いた場合は、変形例１の場合と同様に、伸縮性シート２０及び伸長抑制シート３０は、それぞれ第１被止着部４０に止着された状態で第１被止着部４０と一緒に左方向に動く（図７（ｂ））。
また、第１被止着部４０が右方向に動いた場合は、伸縮性シート２０には伸縮性に余裕があるため、第１被止着部４０に止着されたまま右方向に動く（図７（ｃ））。一方で、伸長抑制シート３０には伸縮性に余裕はなく、かつ、第２ファスニング部材３３の止着力は弱いため、右方向に動くことはできない。そのため、伸長抑制シート３０は、伸縮性シート２０から一旦剥がれ、又は、伸縮性シート２０の表面を滑るようにして、図７（ｃ）に示すように、最終的には伸縮性シート２０のより左方向の位置に再度止着される。
なお、もちろん、変形例２の第２ファスニング部材３３は、第１被止着部４０に止着することもできるため、図３に示したように、伸縮性シート２０及び伸長抑制シート３０の二枚で第１被止着部４０に止着することも可能である。
このように、変形例２の構成において、変形例１と同様の効果を得ることができる。
【００４３】
＜変形例３＞
変形例３は、図８（ａ）に示す通り、伸長抑制シート３０に、低伸縮部３１の代わりにシートの一部に折り目が入れられて２回折り曲げられた折曲部３５を備えたものである。したがって、伸長抑制シート３０は、シートを限界まで伸ばした際の限界長が目視で分かるようになっている。また、伸長抑制シートの折曲部３５を全て伸長させた際の限界長を、伸縮性シート２０の限界長よりも短くすることによって、伸縮性シート２０の伸縮力に余裕のある状態で止着させることが可能になっている（図８（ｂ））。
ここで、折曲部３５のシート基材には、トップシート１０ａと同様の不織布シートを使用して形成することができる。また、ここで使用する不織布シートは、基端部と自由端部と同様に、その目付けを着用時に耐久性に優れるように６０〜８０ｇｓｍの範囲内の値とすることが好ましい。
なお、折曲部３５において折り曲げられる伸長抑制シート３０の折り曲げ領域や折り曲げ方法は、上記の効果を得られるのであれば、適宜変更可能である。
【００４４】
＜変形例４＞
変形例４は、図９に示す通り、伸長抑制シート３０の自由端部３２を、伸縮性シート２０の自由端部２２よりも面積を大きくした場合の変形例である。
変形例４における伸縮性シート２０の自由端部３２は、伸縮性シート２０の先端から突出するため、自由端部３２をつまみ易くなっている。したがって、伸縮性シート２０及び伸長抑制シート３０を止着した際に、使用者が伸長抑制シート３０の自由端部３２をつまんで第１被止着部４０に誘導し易くなるため、使用者の使い勝手が向上する。
なお、変形例４において、伸長抑制シート３０の自由端部３２の面積を、伸縮性シート２０よりも大きくすることとしたが、自由端部３２以外の面積を大きくしても良く、また、面積を大きくした箇所の形状は適宜変更可能である。
【００４５】
＜変形例５＞
変形例５は、図１０（ａ）に示すように、伸長抑制シート３０の基端部の幅方向（上下方向）にミシン目３６を設けた場合の変形例である。
本実施形態で説明した通り、伸長抑制シート３０を第１被止着部４０に止着することも可能であるが、止着後は必須の構成要素ではないため、ミシン目３６を設けて切り取り可能な構成としても良い。切り取った場合は、図１０（ｂ）に示す通り、伸縮性シート２０が上側の表面に露出する。
【００４６】
以上のように、本発明は、伸縮性シート２０を有する止着式紙おむつ１において、伸長抑制シート３０により、伸縮性シート２０の伸長が途中で抑制されるので、強い力で引っ張ったとしても伸びすぎることはない。したがって、本発明の吸収性物品は、伸縮性シート２０の伸縮性の効果を十分発揮できる状態で装着することができ、フィット性の良い吸収性物品であるといえる。また、利用者は、単に止着シートを引っ張って止着するだけで本発明の効果が得られるため、利用者にとって負担にならず、使い勝手の良い吸収性物品である。
【００４７】
なお、本発明において、伸縮性シート２０，２０の伸縮部２１，２１は、複数本の弾性伸縮部材をシート間に延在させる方法で伸縮性を取得し、伸長抑制シート３０，３０の低伸縮部３１，３１は、伸縮性不織布を用いることにより伸縮性を取得するとしたが、低伸縮部３１，３１が伸縮部２１，２１より伸縮性を低いものとすれば、適宜構成は変更可能である。例えば、低伸縮部３１，３１も複数本の弾性伸縮部材をシート間に延在させる方法で形成し、弾性伸縮部材の本数を減らすことによって、伸縮性を低くさせても良い。
【００４８】
また、本実施形態において、伸縮性シート２０，２０と伸長抑制シート３０，３０は同一形状であるとしたが、必ずしも同一形状にする必要はない。変形例４において、一例として自由端部３２，３２のみ面積を大きくする例を示したが、この例に限らず、例えば、自由端部以外の伸長抑制シート３０，３０を伸縮性シート２０，２０よりも面積を小さくしてもよい。この場合は伸長抑制シート３０，３０の資材の量を減らすことが可能である。またこの際に、引っ張る際に手でつまむ自由端部３２，３２の大きさを同じとすれば、引っ張る際に不都合は生じない。
【００４９】
また、本発明において、伸長抑制シート３０，３０の自由端部３２，３２に第２ファスニング部材３３，３３を設ける構成としたが、第２ファスニング部材３３，３３は補助的に止着するものであるため、必ずしも設ける必要はない。
【００５０】
また、本発明において、伸縮性シート２０，２０及び伸長抑制シート３０，３０には、使用者がつまみやすいように、それぞれ左右方向に凸状に突出させた自由端部２２，２２及び自由端部３２，３２を設ける構成としたが、必ずしも先端を突出させる必要はない。例えば、伸縮性シート２０，２０及び伸長抑制シート３０，３０をそれぞれ矩形上として、左右方向の自由端部付近にファスニング部材を設ける構成としも良い。
【００５１】
さらに、本発明の範囲は上記に限られることなく、本発明の趣旨を逸脱しない範囲において種々の改良並びに設計の変更を行っても良い。
【符号の説明】
【００５２】
１      使い捨て紙おむつ（吸収性物品）
１０    本体部
１０ａ  トップシート
１０ｂ  バックシート
１０ｃ  吸収体
１０ｄ  ギャザーシート
１０ｅ  バックギャザーシート
１１    腹側部
１２    背側部
１３    股下部
１４    胴周り部
１５    脚周り部
１６    防水シート
１７    外装シート
１８    弾性部材
２０    伸縮性シート
２１    伸縮部
２２    自由端部
２３    第１ファスニング部材
２４    第２被止着部
３０    伸長抑制シート
３１    低伸縮部
３２    自由端部
３３    第２ファスニング部材
３４    シール部
３５    折曲部
３６    ミシン目
４０    第１被止着部
【図４】
2015192714.tif 000003
【図５】
2015192714.tif 000004
【図６】
2015192714.tif 000005
【図７】
2015192714.tif 000006
【図８】
2015192714.tif 000007
【図９】
2015192714.tif 000008
【図１】
2015192714.tif 000009
【図２】
2015192714.tif 000010
【図３】
2015192714.tif 000011
【図１０】
2015192714.tif 000012